(57)【要約】【課題】衝突物の受撃時にトップロープ３０に生じる緊張力が、支柱１０や山側控えロープ７０に伝達する作用を軽減する手段を提供すること。【解決手段】ポケット式の防護網では、支柱１０の頭部に直接又は間接的に設ける挿通孔１１にトップロープ３０を挿通して両側の横アンカー４０までスルー構造とする。覆式の防護網では、山側控えロープ７０を係留する連結金具２０に設けた挿通孔２１にトップロープ３０を挿通して両側の横アンカー４０までスルー構造とする。【選択図】図１
2019203327.tif 000002
【特許請求の範囲】
【請求項１】
衝突物の受撃面を構成する、ネットと、
前記ネットの上縁において該ネットの両側縁間を一部材で配置する、トップロープと、
前記ネットから斜面山側に配置する、山側控えロープと、
前記衝突物の受撃時に、前記トップロープに生じる緊張力が前記山側控えロープに伝達する作用を軽減する、伝達軽減手段と、
を少なくとも有することを特徴とする、
衝撃吸収体。
【請求項２】
前記衝撃吸収体が、斜面に立設する支柱を更に備えるポケット式の防護網であって、
前記伝達軽減手段が、
前記支柱の頭部に脱着自在に取り付け可能な連結金具と、
支柱の頭部に形成して前記山側控えロープを係留する、係留部と、
からなり、
前記連結金具が、
前記支柱の頭部に形成して、前記トップロープを挿通する、挿通孔と、
を少なくとも有することを特徴とする、
請求項１に記載の衝撃吸収体。
【請求項３】
前記衝撃吸収体が、斜面に立設する支柱を更に備えるポケット式の防護網であって、
前記伝達軽減手段が、
前記支柱の頭部に形成して、前記トップロープを挿通する、挿通孔と、
前記支柱の頭部に形成して、前記山側控えロープを係留する、係留部と、
からなることを特徴とする、
請求項１に記載の衝撃吸収体。
【請求項４】
前記衝撃吸収体が、覆式の防護網であって、
前記伝達軽減手段が、独立部材である連結金具からなり、
前記連結金具が、
前記トップロープを挿通する、挿通孔と、
前記山側控えロープを係留する、係留部と、を少なくとも有することを特徴とする、
請求項１に記載の衝撃吸収体。
【請求項５】
前記トップロープと、斜面横側に設置する横アンカーとの間に緩衝金具を介設し、前記山側控え材と斜面山側に設置する山側アンカーとの間に、緩衝金具を省略してあることを特徴とする、請求項１乃至４のうち何れか１項に記載の衝撃吸収体。
【発明の詳細な説明】
【技術分野】
【０００１】
本発明は防護網式の衝撃吸収体に関し、より詳細には、衝突物の受撃時に、トップロープに生じる緊張力が山側控えロープに伝達する作用を軽減可能な衝撃吸収体に関する。
【背景技術】
【０００２】
衝突物を受撃して防護するための衝撃吸収体は、大別して、以下の２種類のタイプがある。
（Ａ）防護網タイプ。
設置面に設置して落石や土砂などの衝突物をネットと設置面との間に設けた空間を経由して設置面下へ誘導するタイプである。
このタイプには、立設した支柱部分を衝突物の導入口とするポケット式や、斜面上の衝突物を覆うようにネットを配置する覆式などがある。
この（Ａ）タイプとして、出願人は、以前に以下の特許文献１に記載の衝撃吸収体を着想している。
（Ｂ）防護柵タイプ。
設置面の中腹や裾部などに設置するものであり、支柱間にネットを配置して捕捉面とし、ネット背面側への衝突物の進行を食い止めるタイプである。
【先行技術文献】
【特許文献】
【０００３】
【特許文献１】特許第６０４７６７８号公報
【発明の概要】
【発明が解決しようとする課題】
【０００４】
上記した（Ａ）防護網タイプの衝撃吸収体の衝突実験を繰り返していくにつれ、以下の現象が見出された。
（１）ポケット式の衝撃吸収体の場合（図４）
衝突物の受撃時に、ネットの幅方向上縁に配置するトップロープを係留している支柱にまで緊張力が伝達するため、支柱の強度向上のために鋼管をサイズアップしたり、支柱から斜面山側へとアンカー固定する山側控えロープに緩衝金具を介設したりする必要があった。
（２）覆式の衝撃吸収体の場合（図５）
衝突物の受撃時に、ネットの幅方向上縁に配置するトップロープと交点クリップで連結する山側控えロープにまで緊張力が伝達するため、山側控えロープや山側アンカーをより高強度な部材とするか、両者の間に緩衝金具を介設する必要があった。
【０００５】
よって、本発明は、衝突物の受撃時にトップロープに生じる緊張力が、支柱や山側控えロープに伝達する作用を軽減する手段の提供を目的とするものである。
【課題を解決するための手段】
【０００６】
上記の課題を解決すべくなされた本願の第１発明は、衝突物の受撃面を構成する、ネットと、前記ネットの上縁において該ネットの両側縁間を一部材で配置する、トップロープと、前記ネットから斜面山側に配置する、山側控えロープと、前記衝突物の受撃時に、前記トップロープに生じる緊張力が前記山側控えロープに伝達する作用を軽減する、伝達軽減手段と、を少なくとも有することを特徴とする。
また、本願の第２発明は、前記第１発明において、前記衝撃吸収体が、斜面に立設する支柱を更に備えるポケット式の防護網であって、前記伝達軽減手段が、前記支柱の頭部に脱着自在に取り付け可能な連結金具と、支柱の頭部に形成して前記山側控えロープを係留する、係留部と、からなり、前記連結金具が、前記支柱の頭部に形成して、前記トップロープを挿通する、挿通孔と、を少なくとも有することを特徴とする。
また、本願の第３発明は、前記第１発明において、前記衝撃吸収体が、斜面に立設する支柱を更に備えるポケット式の防護網であって、前記伝達軽減手段が、前記支柱の頭部に形成して、前記トップロープを挿通する、挿通孔と、前記支柱の頭部に形成して、前記山側控えロープを係留する、係留部と、からなることを特徴とする。
また、本願の第４発明は、前記第１発明において、前記衝撃吸収体が、覆式の防護網であって、前記伝達軽減手段が、独立部材である連結金具からなり、前記連結金具が、前記トップロープを挿通する、挿通孔と、前記山側控えロープを係留する、係留部と、を少なくとも有することを特徴とする。
また、本願の第５発明は、前記第１発明乃至第４発明のうち何れかの発明において、前記トップロープと、斜面横側に設置する横アンカーとの間に緩衝金具を介設し、前記山側控え材と斜面山側に設置する山側アンカーとの間に、緩衝金具を省略してあることを特徴とする。
【発明の効果】
【０００７】
本発明によれば、以下に記載する効果のうち、少なくとも何れか１つの効果を奏する。
（１）トップロープと山側控えロープとの間に伝達軽減手段を設けることで、衝突物の受撃時にトップロープに生じる緊張力の山側控えロープへの伝達が軽減され、山側に設ける控えロープやアンカーの衝撃吸収性能を過大に設計する必要がなくなる。
（２）ポケット式の防護網としたときに、伝達軽減手段を、支柱の頭部に取り付け可能な連結金具であって、トップロープを挿通する挿通孔を有する連結金具、および支柱の頭部に形成して山側控えロープを係留する係留部で構成することで、トップロープが両端の横アンカーまでスルー構造となり、トップロープに生じる緊張力が支柱に伝達されずに横アンカーが抵抗することとなるため、支柱の強度や山側に設ける控えロープやアンカーの衝撃吸収性能を過大に設計する必要がなくなる。
（３）ポケット式の防護網としたときに、挿通孔を有する連結金具を支柱とは別体の独立部材で構成することにより、挿通孔でのトップロープの摺動などによって連結金具が破損した場合であっても、連結部材のみを交換すればよく、支柱そのものの破損・交換に至ることが少なくなる。
（４）ポケット式の防護網としたときに、伝達軽減手段を、支柱の頭部に形成した、トップロープを挿通する挿通孔および山側控えロープを係留する係留部で構成することで、トップロープが両端の横アンカーまでスルー構造となり、トップロープに生じる緊張力が支柱に伝達されずに横アンカーが抵抗することとなるため、支柱の強度や山側に設ける控えロープやアンカーの衝撃吸収性能を過大に設計する必要がなくなる。
（５）覆式の防護網としたときに、伝達軽減手段を、トップロープを挿通する挿通孔および山側控えロープを係留する係留部を有する独立部材の連結金具で構成することで、トップロープが両端の横アンカーまでスルー構造となり、トップロープに生じる緊張力が連結金具に伝達されずに横アンカーが抵抗することとなるため、山側に設ける控えロープやアンカーの衝撃吸収性能を過大に設計する必要がなくなる。
【図面の簡単な説明】
【０００８】
【図１】実施例１に係る衝撃吸収体の概略図。
【図２】実施例２に係る衝撃吸収体の概略図。
【図３】実施例３に係る衝撃吸収体の概略図。
【図４】従来のポケット式の防護網の概略図。
【図５】従来の覆式の防護網の概略図。
【発明を実施するための形態】
【０００９】
以下、図面を参照しながら、本発明の実施例について説明する。
【実施例１】
【００１０】
＜１＞全体構成
本発明の実施例１に係る衝撃吸収体について、図１を参照しながら説明する。
本実施例では、衝撃吸収体としてポケット式防護網を想定している。
図１に示すポケット式防護網は、斜面の幅方向に間隔を空けて立設する複数の支柱１０と、前記支柱１０の頭部に脱着自在に取り付ける連結金具２０と、前記連結金具２０に挿通するトップロープ３０と、前記トップロープ３０の端部を斜面に固定する横アンカー４０と、金網で構成し前記トップロープ３０と結合して斜面谷側に向かって吊設するネット６０と、前記支柱１０から斜面山側に伸びる山側控えロープ７０と、前記山側控えロープ７０の端部を斜面に固定する山側アンカー８０と、を少なくとも具備する。
以下、各構成要素の詳細について説明する。
【００１１】
＜２＞支柱
支柱１０は、前記ネット６０を設けるための部材である。
支柱１０は、斜面に設けたアンカーや基礎を介して固定する方法や、斜面に載置して別途控えをとりながら位置決めする方法など、その他公知の方法でもって斜面に立設するよう構成する。
【００１２】
＜２．１＞支柱の頭部構造
本実施例に係る支柱１０の頭部には、少なくとも、支柱１０頭部から斜面谷側に向けて設けた谷側連結部１１と、支柱１０頭部から斜面山側に向けて設ける係留部１２とを設けている。
谷側連結部１１は、支柱１０頭部から斜面谷側に向けて間隔を設けて配置した二枚のプレートと、当該プレートにそれぞれ貫通形成したボルト孔と、当該ボルト孔に差し込んでナットにより固定するボルトとでもって構成している。
【００１３】
なお、支柱１０の頭部には、ネット６０の幅方向側に、谷側連結部１１や係留部１２と同一構造の部材を設けても良い。当該構成によれば、支柱１０の向きを厳密に考慮せずに支柱１０の設置作業を行うことができる。
【００１４】
＜３＞連結金具
連結金具２０は、トップロープ３０を挿通するための部材である。
本実施例の連結金具２０は、鋼板に間隔を空けて貫通形成した二つの穴を設けており、一方の穴に、前記谷側連結部１１を構成するボルトを挿通する態様で支柱１０に連結し、他方の穴は前記トップロープ３０を挿通する挿通孔２１として使用する。
挿通孔２１の孔壁には、トップロープ３０との摩擦を軽減するための手段を設けておくことができる。例えば、挿通孔２１の孔壁部分のみを摩擦係数の低い部材で構成したり、摩擦係数の低い部材で構成したリング部材を挿通孔２１に着脱自在に構成したり、挿通孔２１の孔壁に潤滑剤を塗布しておいたりすることができる。
【００１５】
＜４＞トップロープ
トップロープ３０は、ネット６０の上縁部分に位置して、前記ネット６０を吊設するための部材である。
トップロープ３０は、前記ネット６０の幅方向に一部材で配置するワイヤーロープである。
トップロープ３０は、ネット６０を構成する金網の網目に挿通するか、ネット６０に重ねた状態で結合コイルによって巻き込むことによって、ネット６０に位置決めされる。
さらに、各支柱１０に連結している連結金具２０の挿通孔２１にトップロープ３０を挿通することで、ネット６０が支柱１０の頭部から吊設してあるよう構成する。
トップロープ３０の両端部は、それぞれ、防護網の横側に設ける横アンカー４０でもって、斜面横側に固定する。
なお、トップロープ３０と横アンカー４０の間には、所定値以上の緊張力が生じたときに、装置内部で把持するロープをスリップさせることで衝撃吸収性能を発揮する緩衝金具５０を設けておいても良い。
【００１６】
＜５＞山側控えロープ
山側控えロープ７０は、支柱１０の斜面谷側への倒伏を防止するための部材である。
山側控えロープ７０の一端は、支柱１０の頭部に設けた係留部１２に係留し、山側控えロープ７０の他端は、斜面山側に設けた山側アンカー８０と接続する。
【００１７】
＜６＞受撃時の機能・作用
山側から衝突物が到来してネット６０で衝突物を受撃したとき、まず衝突物による衝撃力がネット６０へ伝わり、この衝撃力によってネット６０が伸びて変位しようとする。
一方、トップロープ３０は、ネット６０に対する移動範囲が制限されているため、この許容値を超えるネット６０の変位が発生した段階で、ネット６０はトップロープ３０接触し、衝撃力はただちにトップロープ３０へとロス無く伝達されることとなる。
このときトップロープ３０に生じる緊張力は、連結金具２０の挿通孔２１を介して支柱１０をスルーしてトップロープ３０の両端まで伝達され、緩衝金具５０でもって緊張力を吸収、または山側アンカー８０でもって緊張力に抵抗するように作用する。
このように、支柱１０では、衝突物の受撃によってトップロープ３０に生じる緊張力の伝達が軽減されることから、支柱１０の破損が起こりにくくなる。
したがって、支柱１０から伸びる山側控えロープ７０についても同様の作用を得ることができる。
【００１８】
＜７＞まとめ
本実施例に係る構成によれば、支柱１０の強度や山側に設ける控えロープやアンカーの衝撃吸収性能を過大に設計する必要がなくなり、部材コストや設置コストの低減に寄与する。
【実施例２】
【００１９】
＜１＞全体構成
本発明の実施例２に係る衝撃吸収体について、図２を参照しながら説明する。
実施例１から大きく異なる点としては、支柱１０の頭部に設けた独立部材である連結金具２０を省略し、支柱１０の頭部から張り出した一枚のプレートで谷側連結部１１を構成し、このプレートに貫通形成した穴を、そのままトップロープ３０の挿通孔１１１として用いている点である。なお、係留部１２も谷側連結部１１と同様、貫通孔を設けた一枚のプレートで構成している。
なお、支柱１０の頭部を部分的に交換可能な構造を呈しておくと、頭部の破損が生じた際に支柱１０を丸ごと交換する必要が無い点で有益である。
【００２０】
＜２＞まとめ
本実施例に係る構成であっても、支柱１０では、衝突物の受撃によってトップロープ３０に生じる緊張力の支柱１０や山側控えロープ７０への伝達が軽減されることから、最終的に部材コストや設置コストの低減に寄与する効果を得ることができる。
【実施例３】
【００２１】
＜１＞全体構成
本発明の実施例３に係る衝撃吸収体について、図３を参照しながら説明する。
本実施例では、衝撃吸収体としてポケット式防護網を想定している。
図３に示すポケット式防護網は、斜面の衝突物を覆うように配置しているネット６０と、前記ネット６０の上縁で該ネット６０の両側縁間を一部材で配置するトップロープ３０と、前記トップロープ３０の端部を斜面に固定する横アンカー４０と、前記トップロープ３０に取り付ける連結金具２０と、前記連結金具２０から斜面山側に伸びる山側控えロープ７０と、前記山側控えロープ７０の端部を斜面に固定する山側アンカー８０と、を少なくとも具備する。
このうち、トップロープ３０と山側控えロープ７０との間に設ける連結金具２０の詳細について、以下に説明する。
【００２２】
＜２＞連結金具
連結金具２０は、トップロープ３０を挿通するための部材である。
本実施例の連結金具２０は、鋼板に間隔を設けて貫通形成した二つの穴を設けており、一方の穴は、前記山側控えロープ７０を係留する係留部２２として使用し、他方の穴は前記トップロープ３０を挿通する挿通孔２１として使用する。
また、連結金具２０は斜面に固定せず、ただ留め置かれる態様としている。
実施例１，２と同様、挿通孔２１の孔壁には、トップロープ３０との摩擦を軽減するための手段を設けておくことができる。詳細は前述の通りであるため省略する。
【００２３】
＜３＞まとめ
本実施例に係る構成の場合、衝突物が斜面から剥がれて落下しようとした場合にネット６０に生じる衝撃力が、トップロープ３０に生じる緊張力として伝達するものの、この緊張力は、挿通孔２１を介して連結金具２０をスルーし、ロープ両端まで伝達され緩衝金具５０でもって吸収、または山側アンカー８０でもって抵抗するように作用する。
すなわち、トップロープ３０に生じる緊張力の連結金具２０に係留する山側控えロープ７０への伝達が軽減されることとなる。
よって、山側控えロープ７０の強度や、山側アンカー８０との間に緩衝金具５０を設けるなどの設計が不要となり、最終的に部材コストや設置コストの低減に寄与する効果を得ることができる。
【符号の説明】
【００２４】
１０    支柱
１１    谷側連結部
１１１  挿通孔
１２    係留部
２０    連結金具
２１    挿通孔
２２    係留部
３０    トップロープ
４０    横アンカー
５０    緩衝金具
６０    ネット
７０    山側控えロープ
８０    山側アンカー
ａ      支柱
ｂ      ネット
ｃ      トップロープ
ｄ      横アンカー
ｅ      山側控えロープ
ｆ      山側アンカー
【図１】
2019203327.tif 000003
【図２】
2019203327.tif 000004
【図３】
2019203327.tif 000005
【図４】
2019203327.tif 000006
【図５】
2019203327.tif 000007
【手続補正書】
【提出日】平成30年10月10日(2018.10.10)
【手続補正１】
【補正対象書類名】特許請求の範囲
【補正対象項目名】全文
【補正方法】変更
【補正の内容】
【特許請求の範囲】
【請求項１】
斜面に設置するポケット式の落石防護網であって、
斜面に立設する、複数の支柱と、
前記支柱間に吊設して衝突物の受撃面を構成する、ネットと、
前記ネットの上縁において該ネットの両側縁間を一部材で配置する、トップロープと、
前記ネットから斜面山側に配置する、山側控えロープと、
前記衝突物の受撃時に、前記トップロープに生じる緊張力が前記山側控えロープに伝達する作用を軽減する、伝達軽減手段と、を少なくとも有し、
前記伝達軽減手段が、
前記支柱の頭部に脱着自在に取り付け可能な、連結金具と、
支柱の頭部に形成して前記山側控えロープを係留する、係留部と、
からなり、
前記連結金具が、鋼板に間隔を空けて同一方向に貫通形成した、少なくとも二つの穴を有し、
一方の穴は、前記支柱の頭部とピン連結する連結孔であり、
他方の穴は、前記トップロープを挿通する挿通孔である、
ことを特徴とする、
落石防護網。
【請求項２】
前記挿通孔の孔壁に、前記鋼板よりも摩擦係数が低くなるよう構成した、摩擦軽減手段を設けてあることを特徴とする、請求項１に記載の落石防護網。
【請求項３】
前記トップロープと、斜面横側に設置する横アンカーとの間に緩衝金具を介設し、前記山側控え材と斜面山側に設置する山側アンカーとの間に、緩衝金具を省略してあることを特徴とする、請求項１または２に記載の落石防護網。
【手続補正２】
【補正対象書類名】明細書
【補正対象項目名】全文
【補正方法】変更
【補正の内容】
【発明の詳細な説明】
【技術分野】
【０００１】
本発明はポケット式または覆式の落石防護網に関し、より詳細には、衝突物の受撃時や落石の自重負担時に、トップロープに生じる緊張力が山側控えロープに伝達する作用を軽減可能な落石防護網に関する。
【背景技術】
【０００２】
衝突物や落石に対する防護機能を発揮する防護体として、以下の２種類のタイプがある。
（Ａ）防護網タイプ。
設置面に設置して落石や土砂などの衝突物をネットと設置面との間に設けた空間を経由して設置面下へ誘導するタイプである。
このタイプには、立設した支柱部分を衝突物の導入口とするポケット式や、斜面上の落石を覆うようにネットを配置する覆式などがある。
この（Ａ）タイプとして、出願人は、以前に以下の特許文献１に記載の衝撃吸収体を着想している。
（Ｂ）防護柵タイプ。
設置面の中腹や裾部などに設置するものであり、支柱間にネットを配置して捕捉面とし、ネット背面側への衝突物の進行を食い止めるタイプである。
【先行技術文献】
【特許文献】
【０００３】
【特許文献１】特許第６０４７６７８号公報
【発明の概要】
【発明が解決しようとする課題】
【０００４】
上記した（Ａ）防護網タイプの、衝突実験を繰り返していくにつれ、以下の現象が見出された。
（１）ポケット式の落石防護網の場合（図４）
衝突物の受撃時に、ネットの幅方向上縁に配置するトップロープを係留している支柱にまで緊張力が伝達するため、支柱の強度向上のために鋼管をサイズアップしたり、支柱から斜面山側へとアンカー固定する山側控えロープに緩衝金具を介設したりする必要があった。
（２）覆式の落石防護網の場合（図５）
落石の自重をネットで負担する際に、ネットの幅方向上縁に配置するトップロープと交点クリップで連結する山側控えロープにまで緊張力が伝達するため、山側控えロープや山側アンカーをより高強度な部材とするか、両者の間に緩衝金具を介設する必要があった。
【０００５】
よって、本発明は、衝突物の受撃時にトップロープに生じる緊張力が、支柱や山側控えロープに伝達する作用を軽減する手段の提供を目的とするものである。
【課題を解決するための手段】
【０００６】
上記の課題を解決すべくなされた本願の第１発明は、斜面に設置するポケット式の落石防護網であって、斜面に立設する、複数の支柱と、前記支柱間に吊設して衝突物の受撃面を構成する、ネットと、前記ネットの上縁において該ネットの両側縁間を一部材で配置する、トップロープと、前記ネットから斜面山側に配置する、山側控えロープと、前記衝突物の受撃時に、前記トップロープに生じる緊張力が前記山側控えロープに伝達する作用を軽減する、伝達軽減手段と、を少なくとも有し、前記伝達軽減手段が、前記支柱の頭部に脱着自在に取り付け可能な、連結金具と、支柱の頭部に形成して前記山側控えロープを係留する、係留部と、からなり、前記連結金具が、鋼板に間隔を空けて同一方向に貫通形成した少なくとも二つの穴を有し、一方の穴は、前記支柱の頭部とピン連結する連結孔であり、他方の穴は、前記トップロープを挿通する挿通孔であることを特徴とする。
また、本願の第２発明は、前記第１発明において、前記挿通孔の孔壁に、前記鋼板よりも摩擦係数が低くなるよう構成した、摩擦軽減手段を設けてあることを特徴とする。
また、本願の第３発明は、前記第１発明または第２発明において、前記トップロープと、斜面横側に設置する横アンカーとの間に緩衝金具を介設し、前記山側控え材と斜面山側に設置する山側アンカーとの間に、緩衝金具を省略してあることを特徴とする。
【発明の効果】
【０００７】
本発明によれば、以下に記載する効果のうち、少なくとも何れか１つの効果を奏する。
（１）トップロープと山側控えロープとの間に伝達軽減手段を設けることで、衝突物の受撃時にトップロープに生じる緊張力の山側控えロープへの伝達が軽減され、山側に設ける控えロープやアンカーの衝撃吸収性能を過大に設計する必要がなくなる。
（２）ポケット式の防護網としたときに、伝達軽減手段を、支柱の頭部に取り付け可能な連結金具であって、トップロープを挿通する挿通孔を有する連結金具、および支柱の頭部に形成して山側控えロープを係留する係留部で構成することで、トップロープが両端の横アンカーまでスルー構造となり、トップロープに生じる緊張力が支柱に伝達されずに横アンカーが抵抗することとなるため、支柱の強度や山側に設ける控えロープやアンカーの衝撃吸収性能を過大に設計する必要がなくなる。
（３）ポケット式の防護網としたときに、挿通孔を有する連結金具を支柱とは別体の独立部材で構成することにより、挿通孔でのトップロープの摺動などによって連結金具が破損した場合であっても、連結部材のみを交換すればよく、支柱そのものの破損・交換に至ることが少なくなる。
（４）ポケット式の防護網としたときに、伝達軽減手段を、支柱の頭部に形成した、トップロープを挿通する挿通孔および山側控えロープを係留する係留部で構成することで、トップロープが両端の横アンカーまでスルー構造となり、トップロープに生じる緊張力が支柱に伝達されずに横アンカーが抵抗することとなるため、支柱の強度や山側に設ける控えロープやアンカーの衝撃吸収性能を過大に設計する必要がなくなる。
（５）覆式の防護網としたときに、伝達軽減手段を、トップロープを挿通する挿通孔および山側控えロープを係留する係留部を有する独立部材の連結金具で構成することで、トップロープが両端の横アンカーまでスルー構造となり、トップロープに生じる緊張力が連結金具に伝達されずに横アンカーが抵抗することとなるため、山側に設ける控えロープやアンカーの衝撃吸収性能を過大に設計する必要がなくなる。
【図面の簡単な説明】
【０００８】
【図１】実施例１に係る落石防護網の概略図。
【図２】実施例２に係る落石防護網の概略図。
【図３】実施例３に係る落石防護網の概略図。
【図４】従来のポケット式の防護網の概略図。
【図５】従来の覆式の防護網の概略図。
【発明を実施するための形態】
【０００９】
以下、図面を参照しながら、本発明の実施例について説明する。
【実施例１】
【００１０】
＜１＞全体構成
本発明の実施例１に係る落石防護網について、図１を参照しながら説明する。
本実施例では、落石防護網としてポケット式防護網を想定している。
図１に示すポケット式防護網は、斜面の幅方向に間隔を空けて立設する複数の支柱１０と、前記支柱１０の頭部に脱着自在に取り付ける連結金具２０と、前記連結金具２０に挿通するトップロープ３０と、前記トップロープ３０の端部を斜面に固定する横アンカー４０と、金網で構成し前記トップロープ３０と結合して斜面谷側に向かって吊設するネット６０と、前記支柱１０から斜面山側に伸びる山側控えロープ７０と、前記山側控えロープ７０の端部を斜面に固定する山側アンカー８０と、を少なくとも具備する。
以下、各構成要素の詳細について説明する。
【００１１】
＜２＞支柱
支柱１０は、前記ネット６０を設けるための部材である。
支柱１０は、斜面に設けたアンカーや基礎を介して固定する方法や、斜面に載置して別途控えをとりながら位置決めする方法など、その他公知の方法でもって斜面に立設するよう構成する。
【００１２】
＜２．１＞支柱の頭部構造
本実施例に係る支柱１０の頭部には、少なくとも、支柱１０頭部から斜面谷側に向けて設けた谷側連結部１１と、支柱１０頭部から斜面山側に向けて設ける係留部１２とを設けている。
谷側連結部１１は、支柱１０頭部から斜面谷側に向けて間隔を設けて配置した二枚のプレートと、当該プレートにそれぞれ貫通形成したボルト孔と、当該ボルト孔に差し込んでナットにより固定するボルトとでもって構成している。
【００１３】
なお、支柱１０の頭部には、ネット６０の幅方向側に、谷側連結部１１や係留部１２と同一構造の部材を設けても良い。当該構成によれば、支柱１０の向きを厳密に考慮せずに支柱１０の設置作業を行うことができる。
【００１４】
＜３＞連結金具
連結金具２０は、トップロープ３０を挿通するための部材である。
本実施例の連結金具２０は、鋼板に間隔を空けて貫通形成した二つの穴を設けており、一方の穴に、前記谷側連結部１１を構成するボルトを挿通する態様で支柱１０に連結し、他方の穴は前記トップロープ３０を挿通する挿通孔２１として使用する。
挿通孔２１の孔壁には、トップロープ３０との摩擦を軽減するための手段を設けておくことができる。例えば、挿通孔２１の孔壁部分のみを摩擦係数の低い部材で構成したり、摩擦係数の低い部材で構成したリング部材を挿通孔２１に着脱自在に構成したり、挿通孔２１の孔壁に潤滑剤を塗布しておいたりすることができる。
【００１５】
＜４＞トップロープ
トップロープ３０は、ネット６０の上縁部分に位置して、前記ネット６０を吊設するための部材である。
トップロープ３０は、前記ネット６０の幅方向に一部材で配置するワイヤーロープである。
トップロープ３０は、ネット６０を構成する金網の網目に挿通するか、ネット６０に重ねた状態で結合コイルによって巻き込むことによって、ネット６０に位置決めされる。
さらに、各支柱１０に連結している連結金具２０の挿通孔２１にトップロープ３０を挿通することで、ネット６０が支柱１０の頭部から吊設してあるよう構成する。
トップロープ３０の両端部は、それぞれ、防護網の横側に設ける横アンカー４０でもって、斜面横側に固定する。
なお、トップロープ３０と横アンカー４０の間には、所定値以上の緊張力が生じたときに、装置内部で把持するロープをスリップさせることで衝撃吸収性能を発揮する緩衝金具５０を設けておいても良い。
【００１６】
＜５＞山側控えロープ
山側控えロープ７０は、支柱１０の斜面谷側への倒伏を防止するための部材である。
山側控えロープ７０の一端は、支柱１０の頭部に設けた係留部１２に係留し、山側控えロープ７０の他端は、斜面山側に設けた山側アンカー８０と接続する。
【００１７】
＜６＞受撃時の機能・作用
山側から衝突物が到来してネット６０で衝突物を受撃したとき、まず衝突物による衝撃力がネット６０へ伝わり、この衝撃力によってネット６０が伸びて変位しようとする。
一方、トップロープ３０は、ネット６０に対する移動範囲が制限されているため、この許容値を超えるネット６０の変位が発生した段階で、ネット６０はトップロープ３０接触し、衝撃力はただちにトップロープ３０へとロス無く伝達されることとなる。
このときトップロープ３０に生じる緊張力は、連結金具２０の挿通孔２１を介して支柱１０をスルーしてトップロープ３０の両端まで伝達され、緩衝金具５０でもって緊張力を吸収、または山側アンカー８０でもって緊張力に抵抗するように作用する。
このように、支柱１０では、衝突物の受撃によってトップロープ３０に生じる緊張力の伝達が軽減されることから、支柱１０の破損が起こりにくくなる。
したがって、支柱１０から伸びる山側控えロープ７０についても同様の作用を得ることができる。
【００１８】
＜７＞まとめ
本実施例に係る構成によれば、支柱１０の強度や山側に設ける控えロープやアンカーの衝撃吸収性能を過大に設計する必要がなくなり、部材コストや設置コストの低減に寄与する。
【実施例２】
【００１９】
＜１＞全体構成
本発明の実施例２に係る落石防護網について、図２を参照しながら説明する。
実施例１から大きく異なる点としては、支柱１０の頭部に設けた独立部材である連結金具２０を省略し、支柱１０の頭部から張り出した一枚のプレートで谷側連結部１１を構成し、このプレートに貫通形成した穴を、そのままトップロープ３０の挿通孔１１１として用いている点である。なお、係留部１２も谷側連結部１１と同様、貫通孔を設けた一枚のプレートで構成している。
なお、支柱１０の頭部を部分的に交換可能な構造を呈しておくと、頭部の破損が生じた際に支柱１０を丸ごと交換する必要が無い点で有益である。
【００２０】
＜２＞まとめ
本実施例に係る構成であっても、支柱１０では、衝突物の受撃によってトップロープ３０に生じる緊張力の支柱１０や山側控えロープ７０への伝達が軽減されることから、最終的に部材コストや設置コストの低減に寄与する効果を得ることができる。
【実施例３】
【００２１】
＜１＞全体構成
本発明の実施例３に係る落石防護網について、図３を参照しながら説明する。
本実施例では、落石防護網としてポケット式防護網を想定している。
図３に示すポケット式防護網は、斜面の衝突物を覆うように配置しているネット６０と、前記ネット６０の上縁で該ネット６０の両側縁間を一部材で配置するトップロープ３０と、前記トップロープ３０の端部を斜面に固定する横アンカー４０と、前記トップロープ３０に取り付ける連結金具２０と、前記連結金具２０から斜面山側に伸びる山側控えロープ７０と、前記山側控えロープ７０の端部を斜面に固定する山側アンカー８０と、を少なくとも具備する。
このうち、トップロープ３０と山側控えロープ７０との間に設ける連結金具２０の詳細について、以下に説明する。
【００２２】
＜２＞連結金具
連結金具２０は、トップロープ３０を挿通するための部材である。
本実施例の連結金具２０は、鋼板に間隔を設けて貫通形成した二つの穴を設けており、一方の穴は、前記山側控えロープ７０を係留する係留部２２として使用し、他方の穴は前記トップロープ３０を挿通する挿通孔２１として使用する。
また、連結金具２０は斜面に固定せず、ただ留め置かれる態様としている。
実施例１，２と同様、挿通孔２１の孔壁には、トップロープ３０との摩擦を軽減するための手段を設けておくことができる。詳細は前述の通りであるため省略する。
【００２３】
＜３＞まとめ
本実施例に係る構成の場合、衝突物が斜面から剥がれて落下しようとした場合にネット６０に生じる衝撃力が、トップロープ３０に生じる緊張力として伝達するものの、この緊張力は、挿通孔２１を介して連結金具２０をスルーし、ロープ両端まで伝達され緩衝金具５０でもって吸収、または山側アンカー８０でもって抵抗するように作用する。
すなわち、トップロープ３０に生じる緊張力の連結金具２０に係留する山側控えロープ７０への伝達が軽減されることとなる。
よって、山側控えロープ７０の強度や、山側アンカー８０との間に緩衝金具５０を設けるなどの設計が不要となり、最終的に部材コストや設置コストの低減に寄与する効果を得ることができる。
【符号の説明】
【００２４】
１０    支柱
１１    谷側連結部
１１１  挿通孔
１２    係留部
２０    連結金具
２１    挿通孔
２２    係留部
３０    トップロープ
４０    横アンカー
５０    緩衝金具
６０    ネット
７０    山側控えロープ
８０    山側アンカー
ａ      支柱
ｂ      ネット
ｃ      トップロープ
ｄ      横アンカー
ｅ      山側控えロープ
ｆ      山側アンカー